(57)【要約】【課題】本発明は携帯に便利なサンプルボックスを開示した。【解決手段】ボックスボディを含み、前記ボックスボディの中には放置チャンバが設けられ、前記放置チャンバの中には横ロッドが上下対称的に設けられ、前記放置チャンバの左側には連通して上下に対称的にスライドできるようにＴスライド溝が設けられ、前記横ロッドの左側には前記Ｔ字型横スライド溝の中でスライドできるように横スライダが固定的に設置され、縦ロッドと横ロッドの交錯滑りで、サンプルボックスは内部に置かれたサンプルの大きさと形状によってサンプルを安定させ、携帯や輸送中の揺れや揺れによるサンプルの損傷を低減することができ、また、異なるサンプルにより縦ロックの移動量を増加または減少することでサンプルの安定を保ち、装置の柔軟性と幅広い性を増加させることができる。【選択図】図１
2020175943.tif 000002
【特許請求の範囲】
【請求項１】
ボックスボディを含み、前記ボックスボディの中には放置チャンバが設けられ、前記放置チャンバの中には横ロッドが上下対称的に設けられ、前記放置チャンバの左側には連通して上下に対称的にスライドできるようにＴスライド溝が設けられ、前記横ロッドの左側には前記Ｔ字型横スライド溝の中でスライドできるように横スライダが固定的に設置され、前記放置チャンバの右側には連通して横ロック溝が設けられ、前記横ロッドの右側は前記横ロック溝の内部に伸びていてロックラックに噛み合うように連結され、前記ロックラックの右端面には放置チャンバの右側にある回転装置と伝動できるように連結される連結ラックが固定的に設けられ、前記連結ラックと前記横ロック溝の内壁との間には第一ばねが設置され、前記横ロッドの中には前後に貫通して調整スライド溝が設けられ、前記調整スライド溝の中には、つの縦ロッドが設置され、前記放置チャンバの前側には連通してＴ字型縦スライド溝が上下対称的に設けられ、前記縦ロッドの前端が縦スライド溝の内部に伸びており、前記縦スライド溝の前側には代替装置が設置され、前記放置チャンバの後側には連通して縦ロック溝が設けられ、前記縦ロッドの後端は前記縦ロック溝に伸びており、且つ固定ラックと噛み合い、前記固定ラックの後端面と前記縦ロック溝の内壁間に第二ばねが設置され、前記固定ラックの後端面には前記回転装置と伝動できるように連結される伝動ラックが固定的に設けられ、前記ボックスボディの上側には上方に開口した回転溝が設置され、前記回転溝の中には、回転軸によって、前記ボックスボディと当接するボックス蓋が設置され、前記ボックス蓋の中にはロック装置が設置されていることを特徴とする携帯に便利なサンプルボックス。
【請求項２】
前記回転装置は動力スライド溝を含み、前記動力スライド溝と前記縦ロック溝との間には第一スライドロッド溝が連通して設けられ、前記伝動ラックの後端は、前記第一スライドロッド溝の内部に伸びており、且つ前記伝動ラックの上には左右に貫いた斜面溝が設けられ、前記伝動ラックと前記第一スライドロッド溝との後端壁の間に第三バネが設けられ、前記動力スライド溝の中には左側が前記斜面溝に当接する動力スライドロッドがスライドできるように設けられ、前記動力スライドロッドの後端面には第一復帰部品が固定的に設けられ、前記動力スライド溝の後側には動力回転溝が連通して設けられ、前記動力回転溝の中には、動力転軸によって先端が前記動力スライドロッドと噛み合うように連結される動力歯車が回転できるように設置され、前記動力スライド溝の前側には、前記動力スライドロッドの前端面と噛合する連結歯車がスライドできるように設けられ、前記連結歯車の前側には連動装置が設置され、前記連動装置は前後対称的な連動回転溝を含み、前記連動回転溝の中には連動回転軸によって連動歯車が回転できるように設けられ、前記連動回転溝の間には連動ベルト溝が連通して設けられ、前記連動回転軸の間が連動ベルトを介して連結され、前記横ロック溝の右側には前側の連動回転溝と連通する第二スライドロッド溝が連通して設けられ、前記連結ラックの右端が第二スライドロッド溝の内部に伸びており、且つ前側の前記連動歯車に噛み合うように連結され、前記連結ラックと前記第二スライドロッド溝の右端壁の間には押しばねが設置されていることを特徴とする請求項１に記載の携帯に便利なサンプルボックス。
【請求項３】
前記代替装置は前記縦スライド溝に通じる閉鎖スライド溝を含み、前記閉鎖スライド溝の前側には外界の空間と連通する代替溝が設置され、前記閉鎖スライド溝には閉鎖スライド板がスライドできるように設けられ、前記閉鎖スライド板の先端引掛り溝、前記閉鎖スライド板の右端には第二復帰部品が設けられ、前記閉鎖スライド溝の前側には第一噛合チャンバが連通して設けられ、前記第一噛合チャンバの中には、前記閉鎖スライド板とかみ合った閉鎖歯車が回転できるように設けられ、前記閉鎖歯車の上端面には第一傘歯車が設置され、前記第一傘歯車の左端面には第二傘歯車が噛み合って連結され、前記第一噛合チャンバの前側には噛合溝を通して伝動溝が設けられ、前記噛合溝の中には、前記第二傘歯車と同軸によって連結される第一傘歯車が設けられ、前記第一傘歯車の先端面には、軸心のスプライン状の第二歯車が噛み合うように連結され、前記伝動溝と前記閉鎖スライド溝との間には引掛りスライド溝が連通して設けられ、前記第二歯車の軸心には、左端が前記引掛りスライド溝の内部に伸びている伝動スライドロッドが設けられ、前記引掛りスライド溝の中には後端が前記閉鎖スライド溝の内部に伸びており、且つ前記引掛り溝と噛み合って連結される引掛スライドロッドがスライドできように設けられ、前記引掛スライドロッドの中には当接溝が設けられ、前記引掛スライドロッドと前記引掛りスライダーの前端壁との間には、引掛りばねが設置され、  前記伝動スライドロッドの右端面には第二歯車とスプラインによって連結される伝動スプライン軸が固定的に設けられ、前記伝動溝の後側には駆動装置が設けられ、前記伝動スプライン軸が駆動装置と伝動できるように連結されることを特徴とする請求項１に記載の携帯に便利なサンプルボックス。
【請求項４】
前記駆動装置は駆動チャンバを含み、前記駆動チャンバの右端壁には液圧シリンダーが固定的に設置され、前記液圧シリンダーの左端には  押しロッドは動力が伝達可能なように連結され、前記押しロッドの左端には駆動ブロックが固定的に設置され、前記駆動ブロックの中には駆動モータが固定的に設置され、前記駆動モータには駆動回転軸が左右対称的に、動力が伝達可能なように連結され、左側の前記駆動回転軸の左端には駆動歯車が固定的に設置され、前記駆動チャンバの前側と前記伝動溝の間には駆動溝が連通して設けられ、  前記駆動溝の中には、後端と前記駆動歯車が噛み合って連結される伝動歯車が回転できように設けられ、前記伝動歯車の軸心には、前記伝動スプライン軸と固定的に連結されるネジ軸がねじ山によって連結され、前記駆動チャンバの中には、右側の前記駆動回転軸とスプラインによって連結される駆動プーリが回転できるように設けられ、前記駆動プーリと前記回転軸は、連結ベルトによって伝動できるように連結され、前記ロック装置は、ボックス蓋の中には設置されるロックスライド溝を含み、前記ロックスライド溝の中にはロックスライダがスライドできるように設けられ、前記放置チャンバの前端壁の中には、前記ロックスライド溝に対応するロック溝が設置され、前記ロックスライダの右端面には、第二回転軸によって回転できるように設置されるロック歯車が噛み合って連結され、前記ロックスライド溝の上側にはロックベルト溝が連通して設けられ、前記ロックベルト溝の中には、ロックプーリが左右対称的に設けられ、前記第二回転軸の上端が前記ロックベルト溝の内部に伸びており、且つ左側の前記ロックプーリと固定的に連結され、前記ロックプーリの間がロックベルトによって伝動できるように連結され、右側の前記ロックプーリの軸心には、下端が外界の空間に伸びており、且つ噛合歯車と固定的に設置される第三回転軸が固定的に設けられ、前記ボックス蓋の右側において前記ボックスボディの中には動力変換装置が設置され、前記噛合歯車は前記動力変換装置と噛み合って連結されることを特徴とする請求項３に記載の携帯に便利なサンプルボックス。
【請求項５】
前記動力変換装置は、変換チャンバを含み、前記変換チャンバの中には変換ブロックがスライドできように設置され、前記変換ブロックと前記変換チャンバの下端壁の間には第四ばねが設置され、前記変換ブロックの中には変換モータが固定的に設けられ、前記変換モータの下端には、変換スプライン軸が伝動できるように連結され、前記変換チャンバの下端には前記変換スプライン軸とスプラインによって連結できる変換プーリが回転できるように設けられ、前記変換プーリと前記動力回転軸の間が伝動ベルトによって伝動できるように連結され、前記変換モータの上端には変換回転軸が伝動できるように連結され、前記変換チャンバの上端には第二噛合チャンバが連通して設けられ、前記変換回転軸の上端は、前記第二噛合チャンバの内部に伸びており、且つ前記変換回転軸の上端には変換歯車が固定的に設けられ、前記変換歯車の前端には、第四回転軸によって回転できるように設置される第三歯車が噛み合って連結され、前記第二噛合チャンバの下端には、連結ベルト溝が連通して設けられ、前記連結ベルト溝には連結プーリが前後対称的に設けられ、前記連結プーリの間が協力ベルトによって連結され、前記第四回転軸の下端は、前記連結ベルト溝の内部に伸びており、且つ後側の前記連結プーリと固定的に連結され、前記連結ベルト溝の上側は連結回転溝が連通して設けられ、前側の前記連結プーリの心棒には、連結回転輪が固定的に設けられ、前記連結回転溝と外界の空間が伝動回転溝によって連通され、前記噛合歯車と前記連結回転輪は前記伝動回転溝の中で噛み合って連結され、前記第二噛合チャンバの上側には、左側が前記回転溝と連通した押圧溝が連通して設けられ、前記変換回転軸の上端は、連結ロッドが回転できるように設けられ、前記連結ロッドの前端には押圧ロッドが当接して設けられ、前記押圧ロッドの上端面には第三復帰部品が固定的に設けられることを特徴とする請求項１に記載の携帯に便利なサンプルボックス。
【発明の詳細な説明】
【技術分野】
【０００１】
本発明はサンプル包装分野を取り上げて、具体的には携帯に便利なサンプルボックスである。
【背景技術】
【０００２】
現在の携帯式サンプルボックスは、内部の緩衝物の形状または大きさに対応したサンプルを置くと、サンプルボックスの収容物は単一で、その利用率が低く、サンプルボックスを使わずに置くことに致し、サンプルボックス内の収容チャンバには対応しないが、収容チャンバの容積よりも小さいサンプルを置く場合は、サンプルとサンプルボックスとの間の隙間は、通常、サンプルを安定に保つためにパッキングバッファによって閉じられ、この方式のサンプル配置は弾性の緩衝物の使用量を増やし、それに伴って輸送コストを増加してまたごみをもたらし、そのために、既存の技術の中で携帯に便利なサンプルボックスに対してさらに改善する必要がある。
【先行技術文献】
【特許文献】
【０００３】
【特許文献１】中国特許出願公開第１０９３６７９７４号明細書
【発明の概要】
【発明が解決しようとする課題】
【０００４】
本発明の目的は携帯に便利なサンプルボックスを提供し、既存の技術にある上記の欠陥を補うことにある。
【課題を解決するための手段】
【０００５】
本発明の携帯に便利なサンプルボックスは、ボックスボディを含み、前記ボックスボディの中には放置チャンバが設けられ、前記放置チャンバの中には横ロッドが上下対称的に設けられ、前記放置チャンバの左側には連通して上下に対称的にスライドできるようにＴスライド溝が設けられ、前記横ロッドの左側には前記Ｔ字型横スライド溝の中でスライドできるように横スライダが固定的に設置され、前記放置チャンバの右側には連通して横ロック溝が設けられ、前記横ロッドの右側は前記横ロック溝の内部に伸びていてロックラックに噛み合うように連結され、前記ロックラックの右端面には放置チャンバの右側にある回転装置と伝動できるように連結される連結ラックが固定的に設けられ、前記連結ラックと前記横ロック溝の内壁との間には第一ばねが設置され、前記横ロッドの中には前後に貫通して調整スライド溝が設けられ、前記調整スライド溝の中には、つの縦ロッドが設置され、前記放置チャンバの前側には連通してＴ字型縦スライド溝が上下対称的に設けられ、前記縦ロッドの前端が縦スライド溝の内部に伸びており、前記縦スライド溝の前側には代替装置が設置され、前記放置チャンバの後側には連通して縦ロック溝が設けられ、前記縦ロッドの後端は前記縦ロック溝に伸びており、且つ固定ラックと噛み合い、前記固定ラックの後端面と前記縦ロック溝の内壁間に第二ばねが設置され、前記固定ラックの後端面には前記回転装置と伝動できるように連結される伝動ラックが固定的に設けられ、前記ボックスボディの上側には上方に開口した回転溝が設置され、前記回転溝の中には、回転軸によって、前記ボックスボディと当接するボックス蓋が設置され、前記ボックス蓋の中にはロック装置が設置されている。
【０００６】
さらなる技術プランとして、前記回転装置は動力スライド溝を含み、前記動力スライド溝と前記縦ロック溝との間には第一スライドロッド溝が連通して設けられ、前記伝動ラックの後端は、前記第一スライドロッド溝の内部に伸びており、且つ前記伝動ラックの上には左右に貫いた斜面溝が設けられ、前記伝動ラックと前記第一スライドロッド溝との後端壁の間に第三バネが設けられ、前記動力スライド溝の中には左側が前記斜面溝に当接する動力スライドロッドがスライドできるように設けられ、前記動力スライドロッドの後端面には第一復帰部品が固定的に設けられ、前記動力スライド溝の後側には動力回転溝が連通して設けられ、前記動力回転溝の中には、動力転軸によって先端が前記動力スライドロッドと噛み合うように連結される動力歯車が回転できるように設置され、前記動力スライド溝の前側には、前記動力スライドロッドの前端面と噛合する連結歯車がスライドできるように設けられ、前記連結歯車の前側には連動装置が設置され、前記連動装置は前後対称的な連動回転溝を含み、前記連動回転溝の中には連動回転軸によって連動歯車が回転できるように設けられ、前記連動回転溝の間には連動ベルト溝が連通して設けられ、前記連動回転軸の間が連動ベルトを介して連結され、前記横ロック溝の右側には前側の連動回転溝と連通する第二スライドロッド溝が連通して設けられ、前記連結ラックの右端が第二スライドロッド溝の内部に伸びており、且つ前側の前記連動歯車に噛み合うように連結され、前記連結ラックと前記第二スライドロッド溝の右端壁の間には押しばねが設置されている。
【０００７】
さらなる技術プラントして、前記代替装置は前記縦スライド溝に通じる閉鎖スライド溝を含み、前記閉鎖スライド溝の前側には外界の空間と連通する代替溝が設置され、前記閉鎖スライド溝には閉鎖スライド板がスライドできるように設けられ、前記閉鎖スライド板の先端引掛り溝、前記閉鎖スライド板の右端には第二復帰部品が設けられ、前記閉鎖スライド溝の前側には第一噛合チャンバが連通して設けられ、前記第一噛合チャンバの中には、前記閉鎖スライド板とかみ合った閉鎖歯車が回転できるように設けられ、前記閉鎖歯車の上端面には第一傘歯車が設置され、前記第一傘歯車の左端面には第二傘歯車が噛み合って連結され、前記第一噛合チャンバの前側には噛合溝を通して伝動溝が設けられ、前記噛合溝の中には、前記第二傘歯車と同軸によって連結される第一傘歯車が設けられ、前記第一傘歯車の先端面には、軸心のスプライン状の第二歯車が噛み合うように連結され、前記伝動溝と前記閉鎖スライド溝との間には引掛りスライド溝が連通して設けられ、前記第二歯車の軸心には、左端が前記引掛りスライド溝の内部に伸びている伝動スライドロッドが設けられ、前記引掛りスライド溝の中には後端が前記閉鎖スライド溝の内部に伸びており、且つ前記引掛り溝と噛み合って連結される引掛スライドロッドがスライドできように設けられ、前記引掛スライドロッドの中には当接溝が設けられ、前記引掛スライドロッドと前記引掛りスライダーの前端壁との間には、引掛りばねが設置され、  前記伝動スライドロッドの右端面には第二歯車とスプラインによって連結される伝動スプライン軸が固定的に設けられ、前記伝動溝の後側には駆動装置が設けられ、前記伝動スプライン軸が駆動装置と伝動できるように連結される。
【０００８】
さらなる技術プラントして、前記駆動装置は駆動チャンバを含み、前記駆動チャンバの右端壁には液圧シリンダーが固定的に設置され、前記液圧シリンダーの左端には  押しロッドは動力が伝達可能なように連結され、前記押しロッドの左端には駆動ブロックが固定的に設置され、前記駆動ブロックの中には駆動モータが固定的に設置され、前記駆動モータには駆動回転軸が左右対称的に、動力が伝達可能なように連結され、左側の前記駆動回転軸の左端には駆動歯車が固定的に設置され、前記駆動チャンバの前側と前記伝動溝の間には駆動溝が連通して設けられ、  前記駆動溝の中には、後端と前記駆動歯車が噛み合って連結される伝動歯車が回転できように設けられ、前記伝動歯車の軸心には、前記伝動スプライン軸と固定的に連結されるネジ軸がねじ山によって連結され、前記駆動チャンバの中には、右側の前記駆動回転軸とスプラインによって連結される駆動プーリが回転できるように設けられ、前記駆動プーリと前記回転軸は、連結ベルトによって伝動できるように連結され、前記ロック装置は、ボックス蓋の中には設置されるロックスライド溝を含み、前記ロックスライド溝の中にはロックスライダがスライドできるように設けられ、前記放置チャンバの前端壁の中には、前記ロックスライド溝に対応するロック溝が設置され、前記ロックスライダの右端面には、第二回転軸によって回転できるように設置されるロック歯車が噛み合って連結され、前記ロックスライド溝の上側にはロックベルト溝が連通して設けられ、前記ロックベルト溝の中には、ロックプーリが左右対称的に設けられ、前記第二回転軸の上端が前記ロックベルト溝の内部に伸びており、且つ左側の前記ロックプーリと固定的に連結され、前記ロックプーリの間がロックベルトによって伝動できるように連結され、右側の前記ロックプーリの軸心には、下端が外界の空間に伸びており、且つ噛合歯車と固定的に設置される第三回転軸が固定的に設けられ、前記ボックス蓋の右側において前記ボックスボディの中には動力変換装置が設置され、前記噛合歯車は前記動力変換装置と噛み合って連結される。
【０００９】
前記動力変換装置は、変換チャンバを含み、前記変換チャンバの中には変換ブロックがスライドできように設置され、前記変換ブロックと前記変換チャンバの下端壁の間には第四ばねが設置され、前記変換ブロックの中には変換モータが固定的に設けられ、前記変換モータの下端には、変換スプライン軸が伝動できるように連結され、前記変換チャンバの下端には前記変換スプライン軸とスプラインによって連結できる変換プーリが回転できるように設けられ、前記変換プーリと前記動力回転軸の間が伝動ベルトによって伝動できるように連結され、前記変換モータの上端には変換回転軸が伝動できるように連結され、前記変換チャンバの上端には第二噛合チャンバが連通して設けられ、前記変換回転軸の上端は、前記第二噛合チャンバの内部に伸びており、且つ前記変換回転軸の上端には変換歯車が固定的に設けられ、前記変換歯車の前端には、第四回転軸によって回転できるように設置される第三歯車が噛み合って連結され、前記第二噛合チャンバの下端には、連結ベルト溝が連通して設けられ、前記連結ベルト溝には連結プーリが前後対称的に設けられ、前記連結プーリの間が協力ベルトによって連結され、前記第四回転軸の下端は、前記連結ベルト溝の内部に伸びており、且つ後側の前記連結プーリと固定的に連結され、前記連結ベルト溝の上側は連結回転溝が連通して設けられ、前側の前記連結プーリの心棒には、連結回転輪が固定的に設けられ、前記連結回転溝と外界の空間が伝動回転溝によって連通され、前記噛合歯車と前記連結回転輪は前記伝動回転溝の中で噛み合って連結され、前記第二噛合チャンバの上側には、左側が前記回転溝と連通した押圧溝が連通して設けられ、前記変換回転軸の上端は、連結ロッドが回転できるように設けられ、前記連結ロッドの前端には押圧ロッドが当接して設けられ、前記押圧ロッドの上端面には第三復帰部品が固定的に設けられる。
【発明の効果】
【００１０】
本発明の有益効果は：縦ロッドと横ロッドの交錯滑りで、サンプルボックスは内部に置かれたサンプルの大きさと形状によってサンプルを安定させ、携帯や輸送中の揺れや揺れによるサンプルの損傷を低減することができ、また、異なるサンプルにより縦ロックの移動量を増加または減少することでサンプルの安定を保ち、装置の柔軟性と幅広い性を増加させることができる。
【図面の簡単な説明】
【００１１】
【図１】図１は本発明の携帯に便利なサンプルボックスの内部全体構造概略図
【図２】図２は図１のＡ−Ａ方向の構造概略図
【図３】図３は図２のＢの拡大構造概略図
【図４】図４は図１のＣ−Ｃ方向の構造概略図
【図５】図５は図４のＤの拡大構造概略図
【図６】図６は図１のＥの拡大構造概略図
【発明を実施するための形態】
【００１２】
下記に図１〜６を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１３】
図１〜６を参照し、本発明の携帯に便利なサンプルボックスは、ボックスボディ１０を含み、前記ボックスボディ１０の中には放置チャンバ１１が設けられ、前記放置チャンバ１１の中には横ロッド１２が上下対称的に設けられ、前記放置チャンバ１１の左側には連通して上下に対称的にスライドできるようにＴスライド溝１３が設けられ、前記横ロッド１２の左側には前記Ｔ字型横スライド溝１３の中でスライドできるように横スライダ１４が固定的に設置され、前記放置チャンバ１１の右側には連通して横ロック溝１５が設けられ、前記横ロッド１２の右側は前記横ロック溝１５の内部に伸びていてロックラック１６に噛み合うように連結され、前記ロックラック１６の右端面には放置チャンバ１１の右側にある回転装置と伝動できるように連結される連結ラック１７が固定的に設けられ、前記連結ラック１７と前記横ロック溝１５の内壁との間には第一ばね２２が設置され、前記横ロッド１２の中には前後に貫通して調整スライド溝１８が設けられ、前記調整スライド溝１８の中には、４つの縦ロッド１９が設置され、前記放置チャンバ１１の前側には連通してＴ字型縦スライド溝２０が上下対称的に設けられ、前記縦ロッド１９の前端が縦スライド溝２０の内部に伸びており、前記縦スライド溝２０の前側には代替装置が設置され、前記放置チャンバ１１の後側には連通して縦ロック溝２３が設けられ、前記縦ロッド１９の後端は前記縦ロック溝２３に伸びており、且つ固定ラック２４と噛み合い、前記固定ラック２４の後端面と前記縦ロック溝２３の内壁間に第二ばね２５が設置され、前記固定ラック２４の後端面には前記回転装置と伝動できるように連結される伝動ラック２６が固定的に設けられ、前記ボックスボディ１０の上側には上方に開口した回転溝２７が設置され、前記回転溝２７の中には、回転軸２８によって、前記ボックスボディ１０と当接するボックス蓋２９が設置され、前記ボックス蓋２９の中にはロック装置が設置されている。
【００１４】
有益的には、前記回転装置は動力スライド溝２８を含み、前記動力スライド溝２８と前記縦ロック溝２３との間には第一スライドロッド溝４２が連通して設けられ、前記伝動ラック２６の後端は、前記第一スライドロッド溝４２の内部に伸びており、且つ前記伝動ラック２６の上には左右に貫いた斜面溝４３が設けられ、前記伝動ラック２６と前記第一スライドロッド溝４２との後端壁の間に第三バネ４１が設けられ、前記動力スライド溝２８の中には左側が前記斜面溝４３に当接する動力スライドロッド３９がスライドできるように設けられ、前記動力スライドロッド３９の後端面には第一復帰部品４０が固定的に設けられ、前記動力スライド溝２８の後側には動力回転溝４４が連通して設けられ、前記動力回転溝４４の中には、動力転軸４６によって先端が前記動力スライドロッド３９と噛み合うように連結される動力歯車４５が回転できるように設置され、前記動力スライド溝２８の前側には、前記動力スライドロッド３９の前端面と噛合する連結歯車３７がスライドできるように設けられ、前記連結歯車３７の前側には連動装置が設置され、前記連動装置は前後対称的な連動回転溝３４を含み、前記連動回転溝３４の中には連動回転軸３６によって連動歯車３５が回転できるように設けられ、前記連動回転溝３４の間には連動ベルト溝３２が連通して設けられ、前記連動回転軸３６の間が連動ベルト３３を介して連結され、前記横ロック溝１５の右側には前側の連動回転溝３４と連通する第二スライドロッド溝３１が連通して設けられ、前記連結ラック１７の右端が第二スライドロッド溝３１の内部に伸びており、且つ前側の前記連動歯車３５に噛み合うように連結され、前記連結ラック１７と前記第二スライドロッド溝３１の右端壁の間には押しばね３０が設置されている。
【００１５】
有益的な、前記代替装置は前記縦スライド溝２０に通じる閉鎖スライド溝４７を含み、前記閉鎖スライド溝４７の前側には外界の空間と連通する代替溝７７が設置され、前記閉鎖スライド溝４７には閉鎖スライド板４８がスライドできるように設けられ、前記閉鎖スライド板４８の先端引掛り溝４９、前記閉鎖スライド板の右端には第二復帰部品５０が設けられ、前記閉鎖スライド溝４７の前側には第一噛合チャンバ５４が連通して設けられ、前記第一噛合チャンバ５４の中には、前記閉鎖スライド板４８とかみ合った閉鎖歯車５５が回転できるように設けられ、前記閉鎖歯車５５の上端面には第一傘歯車５６が設置され、前記第一傘歯車５６の左端面には第二傘歯車５７が噛み合って連結され、前記第一噛合チャンバ５４の前側には噛合溝６０を通して伝動溝６１が設けられ、前記噛合溝６０の中には、前記第二傘歯車５７と同軸によって連結される第一傘歯車５８が設けられ、前記第一傘歯車５８の先端面には、軸心のスプライン状の第二歯車５９が噛み合うように連結され、前記伝動溝６１と前記閉鎖スライド溝４７との間には引掛りスライド溝５１が連通して設けられ、前記第二歯車５９の軸心には、左端が前記引掛りスライド溝５１の内部に伸びている伝動スライドロッド６２が設けられ、前記引掛りスライド溝５１の中には後端が前記閉鎖スライド溝４７の内部に伸びており、且つ前記引掛り溝４９と噛み合って連結される引掛スライドロッド５２がスライドできように設けられ、前記引掛スライドロッド５２の中には当接溝５３が設けられ、前記引掛スライドロッド５２と前記引掛りスライダー５１の前端壁との間には、引掛りばね６３が設置され、  前記伝動スライドロッド６２の右端面には第二歯車５９とスプラインによって連結される伝動スプライン軸６４が固定的に設けられ、前記伝動溝６１の後側には駆動装置が設けられ、前記伝動スプライン軸６４が駆動装置と伝動できるように連結される。
【００１６】
有益的には、前記駆動装置は駆動チャンバ６７を含み、前記駆動チャンバ６７の右端壁には液圧シリンダー７４が固定的に設置され、前記液圧シリンダー７４の左端には  押しロッド７５は動力が伝達可能なように連結され、前記押しロッド７５の左端には駆動ブロック６９が固定的に設置され、前記駆動ブロック６９の中には駆動モータ７０が固定的に設置され、前記駆動モータ７０には駆動回転軸７１が左右対称的に、動力が伝達可能なように連結され、左側の前記駆動回転軸７１の左端には駆動歯車６８が固定的に設置され、前記駆動チャンバ６７の前側と前記伝動溝６１の間には駆動溝６５が連通して設けられ、  前記駆動溝６５の中には、後端と前記駆動歯車６８が噛み合って連結される伝動歯車６６が回転できように設けられ、前記伝動歯車６６の軸心には、前記伝動スプライン軸６４と固定的に連結されるネジ軸７６がねじ山によって連結され、前記駆動チャンバ６７の中には、右側の前記駆動回転軸７１とスプラインによって連結される駆動プーリ７３が回転できるように設けられ、前記駆動プーリ７３と前記回転軸２８は、連結ベルト７２によって伝動できるように連結され、前記ロック装置は、ボックス蓋２９の中には設置されるロックスライド溝７９を含み、前記ロックスライド溝７９の中にはロックスライダ８０がスライドできるように設けられ、前記放置チャンバ１１の前端壁の中には、前記ロックスライド溝７９に対応するロック溝７８が設置され、前記ロックスライダ８０の右端面には、第二回転軸によって回転できるように設置されるロック歯車８１が噛み合って連結され、前記ロックスライド溝７９の上側にはロックベルト溝８３が連通して設けられ、前記ロックベルト溝８３の中には、ロックプーリ８２が左右対称的に設けられ、前記第二回転軸の上端が前記ロックベルト溝８３の内部に伸びており、且つ左側の前記ロックプーリ８２と固定的に連結され、前記ロックプーリ８２の間がロックベルト８４によって伝動できるように連結され、右側の前記ロックプーリ８２の軸心には、下端が外界の空間に伸びており、且つ噛合歯車８６と固定的に設置される第三回転軸８５が固定的に設けられ、前記ボックス蓋２９の右側において前記ボックスボディ１０の中には動力変換装置が設置され、前記噛合歯車８６は前記動力変換装置と噛み合って連結される。
【００１７】
有益的には、前記動力変換装置は、変換チャンバ１０８を含み、前記変換チャンバ１０８の中には変換ブロック９９がスライドできように設置され、前記変換ブロック９９と前記変換チャンバ１０８の下端壁の間には第四ばね１０９が設置され、前記変換ブロック９９の中には変換モータ１１０が固定的に設けられ、前記変換モータ１１０の下端には、変換スプライン軸１０５が伝動できるように連結され、前記変換チャンバ１０８の下端には前記変換スプライン軸１０５とスプラインによって連結できる変換プーリ１０６が回転できるように設けられ、前記変換プーリ１０６と前記動力回転軸４６の間が伝動ベルト１０７によって伝動できるように連結され、前記変換モータ１１０の上端には変換回転軸９７が伝動できるように連結され、前記変換チャンバ１０８の上端には第二噛合チャンバ９６が連通して設けられ、前記変換回転軸９７の上端は、前記第二噛合チャンバ９６の内部に伸びており、且つ前記変換回転軸９７の上端には変換歯車９８が固定的に設けられ、前記変換歯車９８の前端には、第四回転軸１０１によって回転できるように設置される第三歯車１００が噛み合って連結され、前記第二噛合チャンバ９６の下端には、連結ベルト溝１０２が連通して設けられ、前記連結ベルト溝１０２には連結プーリ１０４が前後対称的に設けられ、前記連結プーリ１０４の間が協力ベルト１０３によって連結され、前記第四回転軸１０１の下端は、前記連結ベルト溝１０２の内部に伸びており、且つ後側の前記連結プーリ１０４と固定的に連結され、前記連結ベルト溝１０２の上側は連結回転溝が連通して設けられ、前側の前記連結プーリ１０４の心棒には、連結回転輪８８が固定的に設けられ、前記連結回転溝と外界の空間が伝動回転溝８７によって連通され、前記噛合歯車８６と前記連結回転輪８８は前記伝動回転溝８７の中で噛み合って連結され、前記第二噛合チャンバ９６の上側には、左側が前記回転溝２７と連通した押圧溝９３が連通して設けられ、前記変換回転軸９７の上端は、連結ロッド１１１が回転できるように設けられ、前記連結ロッド１１１の前端には押圧ロッド９４が当接して設けられ、前記押圧ロッド９４の上端面には第三復帰部品９５が固定的に設けられる。
【００１８】
装置が作動する時、変換モータ１１０は第三歯車１００を回転駆動させて、協力ベルト１０３によって連結回転輪８８を回転連動させ、更に噛合歯車８６が回転し、ロックベルト８４によってロック歯車８１を回転させ、ロックスライダ８０が後に移動してロック溝７８とロック状態から離脱し、続いて、駆動モータ７０が作動して駆動プーリ７３を回転させ、連結ベルト７２によってボックス蓋２９を回転連動させ、放置チャンバ１１を開け、ボックス蓋２９は押圧ロッド９４を推進して後ろに移動させ、連結ロッド１１１は、変換ブロック９９を押し動かして下降させ、変換スプライン軸１０５と変換プーリ１０６のとをスプラインによって連結し、次に、変換モータ１１０が起動し、伝動ベルト１０７によって動力歯車４５を回転駆動させ、動力歯車４５が時針回りで回転する時、動力スライドロッド３９が左に移動することで伝動ラック２６は後ろに移動して縦ロッド１９をロック状態から離脱させ、これにより縦ロッド１９を自由に移動でき、動力歯車４５が反時針回りで回転する時、動力スライドロッド３９が右に移動し、連動ベルト３３によって伝動ラック２６を右に移動させて横ロッド１２をロック状態から離脱させ、これにより横ロッド１２を自由に移動でき、サンプルを放置チャンバ１１の中に置き、サンプルを放置チャンバ１１の中に安定にすることができ、サンプルの外形が大きい又は比較的に小さい場合、縦ロック１９の移動量を増加または減少する必要があり、液圧シリンダー７４が起動し、押しロッド７５によって駆動ブロック６９を押し動かして左に移動させ、これにより駆動歯車６８と伝動歯車６６がかみ合って連結され、駆動モータ７０が起動して伝動歯車６６を回転駆動させ、ネジ軸７６の作用によって伝動スライドロッド６２が左に移動して引掛スライドロッド５２を引き動かして前に移動させ、閉鎖スライド板４８をロック状態から離脱させ、且つ伝動スプライン軸６４と第二歯車５９とがスプラインによって連結され、伝動スプライン軸６４が回転して閉鎖歯車５５を回転させ、それによって、閉鎖スライド板４８が右に移動して閉鎖スライド溝４７を開け、縦ロッド１９の増加や減少を行い、これによりサンプルを安定的に放置チャンバ１１の中に置き、次に、液圧シリンダー７４が起動して押しロッド７５によって駆動ブロック６９を引き動かして右に移動させて初期位置に復帰させ、駆動モータ７０が起動して駆動プーリ７３を回転駆動させ、連結ベルト７２によってボックス蓋２９を回転連動させて放置チャンバ１１を閉鎖し、押圧ロッド９４は第三復帰部品９５の作用によって初期位置に復帰し、変換歯車９８と第三歯車１００がかみ合って連結され、変換モータ１１０が逆回転し、協力ベルト１０３によって連結回転輪８８を回転させ、噛合歯車８６が逆回転し、ロックベルト８４によってロック歯車８１を回転させ、これによりロックスライダ８０が前に移動してロック溝７８の中に引っかかる。
【００１９】
本発明の有益効果は：縦ロッドと横ロッドの交錯滑りで、サンプルボックスは内部に置かれたサンプルの大きさと形状によってサンプルを安定させ、携帯や輸送中の揺れや揺れによるサンプルの損傷を低減することができ、また、異なるサンプルにより縦ロックの移動量を増加または減少することでサンプルの安定を保ち、装置の柔軟性と幅広い性を増加させることができる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175943.tif 000003
【図２】
2020175943.tif 000004
【図３】
2020175943.tif 000005
【図４】
2020175943.tif 000006
【図５】
2020175943.tif 000007
【図６】
2020175943.tif 000008
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
ボックスボディを含み、前記ボックスボディの中には放置チャンバが設けられ、前記放置チャンバの中には横ロッドが上下対称的に設けられ、前記放置チャンバの左側には連通して上下に対称的にＴスライド溝が設けられ、前記横ロッドの左側には前記Ｔ字型横スライド溝の中でスライドできるように横スライダが固定的に設置され、前記放置チャンバの右側には連通して横ロック溝が設けられ、前記横ロッドの右側は前記横ロック溝の内部に伸びていてロックラックに噛み合うように連結され、前記ロックラックの右端面には放置チャンバの右側にある回転装置と伝動できるように連結される連結ラックが固定的に設けられ、前記連結ラックと前記横ロック溝の内壁との間には第一ばねが設置され、前記横ロッドの中には前後に貫通して調整スライド溝が設けられ、前記調整スライド溝の中には、四つの縦ロッドが設置され、前記放置チャンバの前側には連通してＴ字型縦スライド溝が上下対称的に設けられ、前記縦ロッドの前端が縦スライド溝の内部に伸びており、前記縦スライド溝の前側には代替装置が設置され、前記放置チャンバの後側には連通して縦ロック溝が設けられ、前記縦ロッドの後端は前記縦ロック溝に伸びており、且つ固定ラックと噛み合い、前記固定ラックの後端面と前記縦ロック溝の内壁間に第二ばねが設置され、前記固定ラックの後端面には前記回転装置と伝動できるように連結される伝動ラックが固定的に設けられ、前記ボックスボディの上側には上方に開口した回転溝が設置され、前記回転溝の中には、第一回転軸によって、前記ボックスボディと当接するボックス蓋が設置され、前記ボックス蓋の中にはロック装置が設置されており、
前記回転装置は動力スライド溝を含み、前記動力スライド溝と前記縦ロック溝との間には第一スライドロッド溝が連通して設けられ、前記伝動ラックの後端は、前記第一スライドロッド溝の内部に伸びており、且つ前記伝動ラックの上には左右に貫いた斜面溝が設けられ、前記伝動ラックと前記第一スライドロッド溝との後端壁の間に第三バネが設けられ、前記動力スライド溝の中には左側が前記斜面溝に当接する動力スライドロッドがスライドできるように設けられ、前記動力スライドロッドの後端面には第一復帰部品が固定的に設けられ、前記動力スライド溝の後側には動力回転溝が連通して設けられ、前記動力回転溝の中には、動力回転軸によって先端が前記動力スライドロッドと噛み合うように連結される動力歯車が回転できるように設置され、前記動力スライド溝の前側には、前記動力スライドロッドの前端面と噛合する連結歯車が回転できるように設けられ、前記連結歯車の前側には連動装置が設置され、前記連動装置は前後対称的な連動回転溝を含み、前記連動回転溝の中には連動回転軸によって連動歯車が回転できるように設けられ、前記連動回転溝の間には連動ベルト溝が連通して設けられ、前記連動回転軸の間が連動ベルトを介して連結され、前記横ロック溝の右側には前側の連動回転溝と連通する第二スライドロッド溝が連通して設けられ、前記連結ラックの右端が第二スライドロッド溝の内部に伸びており、且つ前側の前記連動歯車に噛み合うように連結され、前記連結ラックと前記第二スライドロッド溝の右端壁の間には押しばねが設置されており、
前記代替装置は前記縦スライド溝に通じる閉鎖スライド溝を含み、前記閉鎖スライド溝の前側には外界の空間と連通する代替溝が設置され、前記閉鎖スライド溝には閉鎖スライド板がスライドできるように設けられ、前記閉鎖スライド板の先端引掛り溝、前記閉鎖スライド板の右端には第二復帰部品が設けられ、前記閉鎖スライド溝の前側には第一噛合チャンバが連通して設けられ、前記第一噛合チャンバの中には、前記閉鎖スライド板とかみ合った閉鎖歯車が回転できるように設けられ、前記閉鎖歯車の上端面には第一歯車が設置され、前記第一傘歯車の左端面には第二傘歯車が噛み合って連結され、前記第一噛合チャンバの前側には噛合溝を通して伝動溝が設けられ、前記噛合溝の中には、前記第二傘歯車と同軸によって連結される第一傘歯車が設けられ、前記第一傘歯車の先端面には、軸心のスプライン状の第二歯車が噛み合うように連結され、前記伝動溝と前記閉鎖スライド溝との間には引掛りスライド溝が連通して設けられ、前記第二歯車の軸心には、左端が前記引掛りスライド溝の内部に伸びている伝動スライドロッドが設けられ、前記引掛りスライド溝の中には後端が前記閉鎖スライド溝の内部に伸びており、且つ前記引掛り溝と噛み合って連結される引掛スライドロッドがスライドできように設けられ、前記引掛スライドロッドの中には当接溝が設けられ、前記引掛スライドロッドと前記引掛りスライド溝の前端壁との間には、引掛りばねが設置され、  前記伝動スライドロッドの右端面には第二歯車とスプラインによって連結される伝動スプライン軸が固定的に設けられ、前記伝動溝の後側には駆動装置が設けられ、前記伝動スプライン軸が駆動装置と伝動できるように連結されており、
前記駆動装置は駆動チャンバを含み、前記駆動チャンバの右端壁には液圧シリンダーが固定的に設置され、前記液圧シリンダーの左端には  押しロッドは動力が伝達可能なように連結され、前記押しロッドの左端には駆動ブロックが固定的に設置され、前記駆動ブロックの中には駆動モータが固定的に設置され、前記駆動モータには駆動回転軸が左右対称的に、動力が伝達可能なように連結され、左側の前記駆動回転軸の左端には駆動歯車が固定的に設置され、前記駆動チャンバの前側と前記伝動溝の間には駆動溝が連通して設けられ、  前記駆動溝の中には伝動歯車が回転できように設けられ、前記伝動歯車の後端が前記駆動歯車と噛み合って連結され、前記伝動歯車の軸心には、前記伝動スプライン軸と固定的に連結されるネジ軸がねじ山によって連結され、前記駆動チャンバの中には、右側の前記駆動回転軸とスプラインによって連結される駆動プーリが回転できるように設けられ、前記駆動プーリと前記第一回転軸は、連結ベルトによって伝動できるように連結され、前記ロック装置は、ボックス蓋の中には設置されるロックスライド溝を含み、前記ロックスライド溝の中にはロックスライダがスライドできるように設けられ、前記放置チャンバの前端壁の中には、前記ロックスライド溝に対応するロック溝が設置され、前記ロックスライダの右端にはロック歯車が設置され、前記ロックスライダと前記ロック歯車の隣接側が噛み合うように連結され、且つ前記ロック歯車が第二回転軸と円周方向に固定的に連結され、前記ロックスライド溝の上側にはロックベルト溝が連通して設けられ、前記ロックベルト溝の中には、二つのロックプーリが左右対称的に設けられ、前記第二回転軸の上端が前記ロックベルト溝の内部に伸びており、且つ左側の前記ロックプーリと固定的に連結され、前記ロックプーリの間がロックベルトによって伝動できるように連結され、右側の前記ロックプーリの軸心には、下端が外界の空間に伸びており、且つ噛合歯車と固定的に設置される第三回転軸が固定的に設けられ、前記ボックス蓋の右側において前記ボックスボディの中には動力変換装置が設置され、前記噛合歯車は前記動力変換装置と噛み合って連結されており、
前記動力変換装置は、変換チャンバを含み、前記変換チャンバの中には変換ブロックがスライドできように設置され、前記変換ブロックと前記変換チャンバの下端壁の間には第四ばねが設置され、前記変換ブロックの中には変換モータが固定的に設けられ、前記変換モータの下端には、変換スプライン軸が伝動できるように連結され、前記変換チャンバの下端には前記変換スプライン軸とスプラインによって連結できる変換プーリが回転できるように設けられ、前記変換プーリと前記動力回転軸の間が伝動ベルトによって伝動できるように連結され、前記変換モータの上端には変換回転軸が伝動できるように連結され、前記変換チャンバの上端には第二噛合チャンバが連通して設けられ、前記変換回転軸の上端は、前記第二噛合チャンバの内部に伸びており、且つ前記変換回転軸の上端には変換歯車が固定的に設けられ、前記変換歯車の前端には、第四回転軸によって回転できるように設置される第三歯車が噛み合って連結され、前記第二噛合チャンバの下端には、連結ベルト溝が連通して設けられ、前記連結ベルト溝には二つの連結プーリが前後対称的に設けられ、前記連結プーリの間が協力ベルトによって連結され、前記第四回転軸の下端は、前記連結ベルト溝の内部に伸びており、且つ後側の前記連結プーリと固定的に連結され、前記連結ベルト溝の上側は連結回転溝が連通して設けられ、前側の前記連結プーリの心棒には、連結回転輪が固定的に設けられ、前記連結回転溝と外界の空間が伝動回転溝によって連通され、前記噛合歯車と前記連結回転輪は前記伝動回転溝の中で噛み合って連結され、前記第二噛合チャンバの上側には、左側が前記回転溝と連通した押圧溝が連通して設けられ、前記変換回転軸の上端は、連結ロッドが回転できるように設けられ、前記連結ロッドの前端には押圧ロッドが当接して設けられ、前記押圧ロッドの上端面には第三復帰部品が固定的に設けられることを特徴とする携帯に便利なサンプルボックス。
【手続補正２】
【補正対象書類名】明細書
【補正対象項目名】全文
【補正方法】変更
【補正の内容】
【発明の詳細な説明】
【技術分野】
【０００１】
本発明はサンプル包装分野を取り上げて、具体的には携帯に便利なサンプルボックスである。
【背景技術】
【０００２】
現在の携帯式サンプルボックスは、内部の緩衝物の形状または大きさに対応したサンプルを置くと、サンプルボックスの収容物は単一で、その利用率が低く、サンプルボックスを使わずに置くことに致し、サンプルボックス内の収容チャンバには対応しないが、収容チャンバの容積よりも小さいサンプルを置く場合は、サンプルとサンプルボックスとの間の隙間は、通常、サンプルを安定に保つためにパッキングバッファによって閉じられ、この方式のサンプル配置は弾性の緩衝物の使用量を増やし、それに伴って輸送コストを増加してまたごみをもたらし、そのために、既存の技術の中で携帯に便利なサンプルボックスに対してさらに改善する必要がある。
【先行技術文献】
【特許文献】
【０００３】
【特許文献１】中国特許出願公開第１０９３６７９７４号明細書
【発明の概要】
【発明が解決しようとする課題】
【０００４】
本発明の目的は携帯に便利なサンプルボックスを提供し、既存の技術にある上記の欠陥を補うことにある。
【課題を解決するための手段】
【０００５】
本発明の携帯に便利なサンプルボックスは、ボックスボディを含み、前記ボックスボディの中には放置チャンバが設けられ、前記放置チャンバの中には横ロッドが上下対称的に設けられ、前記放置チャンバの左側には連通して上下に対称的にＴスライド溝が設けられ、前記横ロッドの左側には前記Ｔ字型横スライド溝の中でスライドできるように横スライダが固定的に設置され、前記放置チャンバの右側には連通して横ロック溝が設けられ、前記横ロッドの右側は前記横ロック溝の内部に伸びていてロックラックに噛み合うように連結され、前記ロックラックの右端面には放置チャンバの右側にある回転装置と伝動できるように連結される連結ラックが固定的に設けられ、前記連結ラックと前記横ロック溝の内壁との間には第一ばねが設置され、前記横ロッドの中には前後に貫通して調整スライド溝が設けられ、前記調整スライド溝の中には、四つの縦ロッドが設置され、前記放置チャンバの前側には連通してＴ字型縦スライド溝が上下対称的に設けられ、前記縦ロッドの前端が縦スライド溝の内部に伸びており、前記縦スライド溝の前側には代替装置が設置され、前記放置チャンバの後側には連通して縦ロック溝が設けられ、前記縦ロッドの後端は前記縦ロック溝に伸びており、且つ固定ラックと噛み合い、前記固定ラックの後端面と前記縦ロック溝の内壁間に第二ばねが設置され、前記固定ラックの後端面には前記回転装置と伝動できるように連結される伝動ラックが固定的に設けられ、前記ボックスボディの上側には上方に開口した回転溝が設置され、前記回転溝の中には、第一回転軸によって、前記ボックスボディと当接するボックス蓋が設置され、前記ボックス蓋の中にはロック装置が設置されている。
【０００６】
さらなる技術プランとして、前記回転装置は動力スライド溝を含み、前記動力スライド溝と前記縦ロック溝との間には第一スライドロッド溝が連通して設けられ、前記伝動ラックの後端は、前記第一スライドロッド溝の内部に伸びており、且つ前記伝動ラックの上には左右に貫いた斜面溝が設けられ、前記伝動ラックと前記第一スライドロッド溝との後端壁の間に第三バネが設けられ、前記動力スライド溝の中には左側が前記斜面溝に当接する動力スライドロッドがスライドできるように設けられ、前記動力スライドロッドの後端面には第一復帰部品が固定的に設けられ、前記動力スライド溝の後側には動力回転溝が連通して設けられ、前記動力回転溝の中には、動力回転軸によって先端が前記動力スライドロッドと噛み合うように連結される動力歯車が回転できるように設置され、前記動力スライド溝の前側には、前記動力スライドロッドの前端面と噛合する連結歯車が回転できるように設けられ、前記連結歯車の前側には連動装置が設置され、前記連動装置は前後対称的な連動回転溝を含み、前記連動回転溝の中には連動回転軸によって連動歯車が回転できるように設けられ、前記連動回転溝の間には連動ベルト溝が連通して設けられ、前記連動回転軸の間が連動ベルトを介して連結され、前記横ロック溝の右側には前側の連動回転溝と連通する第二スライドロッド溝が連通して設けられ、前記連結ラックの右端が第二スライドロッド溝の内部に伸びており、且つ前側の前記連動歯車に噛み合うように連結され、前記連結ラックと前記第二スライドロッド溝の右端壁の間には押しばねが設置されている。
【０００７】
さらなる技術プラントして、前記代替装置は前記縦スライド溝に通じる閉鎖スライド溝を含み、前記閉鎖スライド溝の前側には外界の空間と連通する代替溝が設置され、前記閉鎖スライド溝には閉鎖スライド板がスライドできるように設けられ、前記閉鎖スライド板の先端引掛り溝、前記閉鎖スライド板の右端には第二復帰部品が設けられ、前記閉鎖スライド溝の前側には第一噛合チャンバが連通して設けられ、前記第一噛合チャンバの中には、前記閉鎖スライド板とかみ合った閉鎖歯車が回転できるように設けられ、前記閉鎖歯車の上端面には第一歯車が設置され、前記第一傘歯車の左端面には第二傘歯車が噛み合って連結され、前記第一噛合チャンバの前側には噛合溝を通して伝動溝が設けられ、前記噛合溝の中には、前記第二傘歯車と同軸によって連結される第一傘歯車が設けられ、前記第一傘歯車の先端面には、軸心のスプライン状の第二歯車が噛み合うように連結され、前記伝動溝と前記閉鎖スライド溝との間には引掛りスライド溝が連通して設けられ、前記第二歯車の軸心には、左端が前記引掛りスライド溝の内部に伸びている伝動スライドロッドが設けられ、前記引掛りスライド溝の中には後端が前記閉鎖スライド溝の内部に伸びており、且つ前記引掛り溝と噛み合って連結される引掛スライドロッドがスライドできように設けられ、前記引掛スライドロッドの中には当接溝が設けられ、前記引掛スライドロッドと前記引掛りスライド溝の前端壁との間には、引掛りばねが設置され、  前記伝動スライドロッドの右端面には第二歯車とスプラインによって連結される伝動スプライン軸が固定的に設けられ、前記伝動溝の後側には駆動装置が設けられ、前記伝動スプライン軸が駆動装置と伝動できるように連結される。
【０００８】
さらなる技術プラントして、前記駆動装置は駆動チャンバを含み、前記駆動チャンバの右端壁には液圧シリンダーが固定的に設置され、前記液圧シリンダーの左端には  押しロッドは動力が伝達可能なように連結され、前記押しロッドの左端には駆動ブロックが固定的に設置され、前記駆動ブロックの中には駆動モータが固定的に設置され、前記駆動モータには駆動回転軸が左右対称的に、動力が伝達可能なように連結され、左側の前記駆動回転軸の左端には駆動歯車が固定的に設置され、前記駆動チャンバの前側と前記伝動溝の間には駆動溝が連通して設けられ、  前記駆動溝の中には伝動歯車が回転できように設けられ、前記伝動歯車の後端が前記駆動歯車と噛み合って連結され、前記伝動歯車の軸心には、前記伝動スプライン軸と固定的に連結されるネジ軸がねじ山によって連結され、前記駆動チャンバの中には、右側の前記駆動回転軸とスプラインによって連結される駆動プーリが回転できるように設けられ、前記駆動プーリと前記第一回転軸は、連結ベルトによって伝動できるように連結され、前記ロック装置は、ボックス蓋の中には設置されるロックスライド溝を含み、前記ロックスライド溝の中にはロックスライダがスライドできるように設けられ、前記放置チャンバの前端壁の中には、前記ロックスライド溝に対応するロック溝が設置され、前記ロックスライダの右端にはロック歯車が設置され、前記ロックスライダと前記ロック歯車の隣接側が噛み合うように連結され、且つ前記ロック歯車が第二回転軸と円周方向に固定的に連結され、前記ロックスライド溝の上側にはロックベルト溝が連通して設けられ、前記ロックベルト溝の中には、二つのロックプーリが左右対称的に設けられ、前記第二回転軸の上端が前記ロックベルト溝の内部に伸びており、且つ左側の前記ロックプーリと固定的に連結され、前記ロックプーリの間がロックベルトによって伝動できるように連結され、右側の前記ロックプーリの軸心には、下端が外界の空間に伸びており、且つ噛合歯車と固定的に設置される第三回転軸が固定的に設けられ、前記ボックス蓋の右側において前記ボックスボディの中には動力変換装置が設置され、前記噛合歯車は前記動力変換装置と噛み合って連結される。
【０００９】
前記動力変換装置は、変換チャンバを含み、前記変換チャンバの中には変換ブロックがスライドできように設置され、前記変換ブロックと前記変換チャンバの下端壁の間には第四ばねが設置され、前記変換ブロックの中には変換モータが固定的に設けられ、前記変換モータの下端には、変換スプライン軸が伝動できるように連結され、前記変換チャンバの下端には前記変換スプライン軸とスプラインによって連結できる変換プーリが回転できるように設けられ、前記変換プーリと前記動力回転軸の間が伝動ベルトによって伝動できるように連結され、前記変換モータの上端には変換回転軸が伝動できるように連結され、前記変換チャンバの上端には第二噛合チャンバが連通して設けられ、前記変換回転軸の上端は、前記第二噛合チャンバの内部に伸びており、且つ前記変換回転軸の上端には変換歯車が固定的に設けられ、前記変換歯車の前端には、第四回転軸によって回転できるように設置される第三歯車が噛み合って連結され、前記第二噛合チャンバの下端には、連結ベルト溝が連通して設けられ、前記連結ベルト溝には二つの連結プーリが前後対称的に設けられ、前記連結プーリの間が協力ベルトによって連結され、前記第四回転軸の下端は、前記連結ベルト溝の内部に伸びており、且つ後側の前記連結プーリと固定的に連結され、前記連結ベルト溝の上側は連結回転溝が連通して設けられ、前側の前記連結プーリの心棒には、連結回転輪が固定的に設けられ、前記連結回転溝と外界の空間が伝動回転溝によって連通され、前記噛合歯車と前記連結回転輪は前記伝動回転溝の中で噛み合って連結され、前記第二噛合チャンバの上側には、左側が前記回転溝と連通した押圧溝が連通して設けられ、前記変換回転軸の上端は、連結ロッドが回転できるように設けられ、前記連結ロッドの前端には押圧ロッドが当接して設けられ、前記押圧ロッドの上端面には第三復帰部品が固定的に設けられる。
【発明の効果】
【００１０】
本発明の有益効果は：縦ロッドと横ロッドの交錯滑りで、サンプルボックスは内部に置かれたサンプルの大きさと形状によってサンプルを安定させ、携帯や輸送中の揺れや揺れによるサンプルの損傷を低減することができ、また、異なるサンプルにより縦ロックの移動量を増加または減少することでサンプルの安定を保ち、装置の柔軟性と幅広い性を増加させることができる。
【図面の簡単な説明】
【００１１】
【図１】図１は本発明の携帯に便利なサンプルボックスの内部全体構造概略図
【図２】図２は図１のＡ−Ａ方向の構造概略図
【図３】図３は図２のＢの拡大構造概略図
【図４】図４は図１のＣ−Ｃ方向の構造概略図
【図５】図５は図４のＤの拡大構造概略図
【図６】図６は図１のＥの拡大構造概略図
【発明を実施するための形態】
【００１２】
下記に図１〜６を合わせて本発明を詳しく説明する。説明を便利にさせるように、ここで後文に出る方位を下記の通りに規定する：下記の上下左右前後という方向は図１自身の投影関係の上下左右前後の方向と一致している。
【００１３】
図１〜６を参照し、本発明の携帯に便利なサンプルボックスは、ボックスボディ１０を含み、前記ボックスボディ１０の中には放置チャンバ１１が設けられ、前記放置チャンバ１１の中には横ロッド１２が上下対称的に設けられ、前記放置チャンバ１１の左側には連通して上下に対称的にＴスライド溝１３が設けられ、前記横ロッド１２の左側には前記Ｔ字型横スライド溝１３の中でスライドできるように横スライダ１４が固定的に設置され、前記放置チャンバ１１の右側には連通して横ロック溝１５が設けられ、前記横ロッド１２の右側は前記横ロック溝１５の内部に伸びていてロックラック１６に噛み合うように連結され、前記ロックラック１６の右端面には放置チャンバ１１の右側にある回転装置と伝動できるように連結される連結ラック１７が固定的に設けられ、前記連結ラック１７と前記横ロック溝１５の内壁との間には第一ばね２２が設置され、前記横ロッド１２の中には前後に貫通して調整スライド溝１８が設けられ、前記調整スライド溝１８の中には、４四つの縦ロッド１９が設置され、前記放置チャンバ１１の前側には連通してＴ字型縦スライド溝２０が上下対称的に設けられ、前記縦ロッド１９の前端が縦スライド溝２０の内部に伸びており、前記縦スライド溝２０の前側には代替装置が設置され、前記放置チャンバ１１の後側には連通して縦ロック溝２３が設けられ、前記縦ロッド１９の後端は前記縦ロック溝２３に伸びており、且つ固定ラック２４と噛み合い、前記固定ラック２４の後端面と前記縦ロック溝２３の内壁間に第二ばね２５が設置され、前記固定ラック２４の後端面には前記回転装置と伝動できるように連結される伝動ラック２６が固定的に設けられ、前記ボックスボディ１０の上側には上方に開口した回転溝２７が設置され、前記回転溝２７の中には、第一回転軸２８によって、前記ボックスボディ１０と当接するボックス蓋２９が設置され、前記ボックス蓋２９の中にはロック装置が設置されている。
【００１４】
有益的には、前記回転装置は動力スライド溝３８を含み、前記動力スライド溝３８と前記縦ロック溝２３との間には第一スライドロッド溝４２が連通して設けられ、前記伝動ラック２６の後端は、前記第一スライドロッド溝４２の内部に伸びており、且つ前記伝動ラック２６の上には左右に貫いた斜面溝４３が設けられ、前記伝動ラック２６と前記第一スライドロッド溝４２との後端壁の間に第三バネ４１が設けられ、前記動力スライド溝３８の中には左側が前記斜面溝４３に当接する動力スライドロッド３９がスライドできるように設けられ、前記動力スライドロッド３９の後端面には第一復帰部品４０が固定的に設けられ、前記動力スライド溝３８の後側には動力回転溝４４が連通して設けられ、前記動力回転溝４４の中には、動力回転軸４６によって先端が前記動力スライドロッド３９と噛み合うように連結される動力歯車４５が回転できるように設置され、前記動力スライド溝３８の前側には、前記動力スライドロッド３９の前端面と噛合する連結歯車３７が回転できるように設けられ、前記連結歯車３７の前側には連動装置が設置され、前記連動装置は前後対称的な連動回転溝３４を含み、前記連動回転溝３４の中には連動回転軸３６によって連動歯車３５が回転できるように設けられ、前記連動回転溝３４の間には連動ベルト溝３２が連通して設けられ、前記連動回転軸３６の間が連動ベルト３３を介して連結され、前記横ロック溝１５の右側には前側の連動回転溝３４と連通する第二スライドロッド溝３１が連通して設けられ、前記連結ラック１７の右端が第二スライドロッド溝３１の内部に伸びており、且つ前側の前記連動歯車３５に噛み合うように連結され、前記連結ラック１７と前記第二スライドロッド溝３１の右端壁の間には押しばね３０が設置されている。
【００１５】
有益的な、前記代替装置は前記縦スライド溝２０に通じる閉鎖スライド溝４７を含み、前記閉鎖スライド溝４７の前側には外界の空間と連通する代替溝７７が設置され、前記閉鎖スライド溝４７には閉鎖スライド板４８がスライドできるように設けられ、前記閉鎖スライド板４８の先端引掛り溝４９、前記閉鎖スライド板の右端には第二復帰部品５０が設けられ、前記閉鎖スライド溝４７の前側には第一噛合チャンバ５４が連通して設けられ、前記第一噛合チャンバ５４の中には、前記閉鎖スライド板４８とかみ合った閉鎖歯車５５が回転できるように設けられ、前記閉鎖歯車５５の上端面には第一歯車５６が設置され、前記第一傘歯車５６の左端面には第二傘歯車５７が噛み合って連結され、前記第一噛合チャンバ５４の前側には噛合溝６０を通して伝動溝６１が設けられ、前記噛合溝６０の中には、前記第二傘歯車５７と同軸によって連結される第一傘歯車５８が設けられ、前記第一傘歯車５８の先端面には、軸心のスプライン状の第二歯車５９が噛み合うように連結され、前記伝動溝６１と前記閉鎖スライド溝４７との間には引掛りスライド溝５１が連通して設けられ、前記第二歯車５９の軸心には、左端が前記引掛りスライド溝５１の内部に伸びている伝動スライドロッド６２が設けられ、前記引掛りスライド溝５１の中には後端が前記閉鎖スライド溝４７の内部に伸びており、且つ前記引掛り溝４９と噛み合って連結される引掛スライドロッド５２がスライドできように設けられ、前記引掛スライドロッド５２の中には当接溝５３が設けられ、前記引掛スライドロッド５２と前記引掛りスライド溝５１の前端壁との間には、引掛りばね６３が設置され、  前記伝動スライドロッド６２の右端面には第二歯車５９とスプラインによって連結される伝動スプライン軸６４が固定的に設けられ、前記伝動溝６１の後側には駆動装置が設けられ、前記伝動スプライン軸６４が駆動装置と伝動できるように連結される。
【００１６】
有益的には、前記駆動装置は駆動チャンバ６７を含み、前記駆動チャンバ６７の右端壁には液圧シリンダー７４が固定的に設置され、前記液圧シリンダー７４の左端には  押しロッド７５は動力が伝達可能なように連結され、前記押しロッド７５の左端には駆動ブロック６９が固定的に設置され、前記駆動ブロック６９の中には駆動モータ７０が固定的に設置され、前記駆動モータ７０には駆動回転軸７１が左右対称的に、動力が伝達可能なように連結され、左側の前記駆動回転軸７１の左端には駆動歯車６８が固定的に設置され、前記駆動チャンバ６７の前側と前記伝動溝６１の間には駆動溝６５が連通して設けられ、  前記駆動溝６５の中には伝動歯車６６が回転できように設けられ、前記伝動歯車６６の後端が前記駆動歯車６８と噛み合って連結され、前記伝動歯車６６の軸心には、前記伝動スプライン軸６４と固定的に連結されるネジ軸７６がねじ山によって連結され、前記駆動チャンバ６７の中には、右側の前記駆動回転軸７１とスプラインによって連結される駆動プーリ７３が回転できるように設けられ、前記駆動プーリ７３と前記第一回転軸２８は、連結ベルト７２によって伝動できるように連結され、前記ロック装置は、ボックス蓋２９の中には設置されるロックスライド溝７９を含み、前記ロックスライド溝７９の中にはロックスライダ８０がスライドできるように設けられ、前記放置チャンバ１１の前端壁の中には、前記ロックスライド溝７９に対応するロック溝７８が設置され、前記ロックスライダ８０の右端にはロック歯車８１が設置され、前記ロックスライダ８０と前記ロック歯車８１の隣接側が噛み合うように連結され、且つ前記ロック歯車８１が第二回転軸と円周方向に固定的に連結され、前記ロックスライド溝７９の上側にはロックベルト溝８３が連通して設けられ、前記ロックベルト溝８３の中には、二つのロックプーリ８２が左右対称的に設けられ、前記第二回転軸の上端が前記ロックベルト溝８３の内部に伸びており、且つ左側の前記ロックプーリ８２と固定的に連結され、前記ロックプーリ８２の間がロックベルト８４によって伝動できるように連結され、右側の前記ロックプーリ８２の軸心には、下端が外界の空間に伸びており、且つ噛合歯車８６と固定的に設置される第三回転軸８５が固定的に設けられ、前記ボックス蓋２９の右側において前記ボックスボディ１０の中には動力変換装置が設置され、前記噛合歯車８６は前記動力変換装置と噛み合って連結される。
【００１７】
有益的には、前記動力変換装置は、変換チャンバ１０８を含み、前記変換チャンバ１０８の中には変換ブロック９９がスライドできように設置され、前記変換ブロック９９と前記変換チャンバ１０８の下端壁の間には第四ばね１０９が設置され、前記変換ブロック９９の中には変換モータ１１０が固定的に設けられ、前記変換モータ１１０の下端には、変換スプライン軸１０５が伝動できるように連結され、前記変換チャンバ１０８の下端には前記変換スプライン軸１０５とスプラインによって連結できる変換プーリ１０６が回転できるように設けられ、前記変換プーリ１０６と前記動力回転軸４６の間が伝動ベルト１０７によって伝動できるように連結され、前記変換モータ１１０の上端には変換回転軸９７が伝動できるように連結され、前記変換チャンバ１０８の上端には第二噛合チャンバ９６が連通して設けられ、前記変換回転軸９７の上端は、前記第二噛合チャンバ９６の内部に伸びており、且つ前記変換回転軸９７の上端には変換歯車９８が固定的に設けられ、前記変換歯車９８の前端には、第四回転軸１０１によって回転できるように設置される第三歯車１００が噛み合って連結され、前記第二噛合チャンバ９６の下端には、連結ベルト溝１０２が連通して設けられ、前記連結ベルト溝１０２には二つの連結プーリ１０４が前後対称的に設けられ、前記連結プーリ１０４の間が協力ベルト１０３によって連結され、前記第四回転軸１０１の下端は、前記連結ベルト溝１０２の内部に伸びており、且つ後側の前記連結プーリ１０４と固定的に連結され、前記連結ベルト溝１０２の上側は連結回転溝が連通して設けられ、前側の前記連結プーリ１０４の心棒には、連結回転輪８８が固定的に設けられ、前記連結回転溝と外界の空間が伝動回転溝８７によって連通され、前記噛合歯車８６と前記連結回転輪８８は前記伝動回転溝８７の中で噛み合って連結され、前記第二噛合チャンバ９６の上側には、左側が前記回転溝２７と連通した押圧溝９３が連通して設けられ、前記変換回転軸９７の上端は、連結ロッド１１１が回転できるように設けられ、前記連結ロッド１１１の前端には押圧ロッド９４が当接して設けられ、前記押圧ロッド９４の上端面には第三復帰部品９５が固定的に設けられる。
【００１８】
装置が作動する時、変換モータ１１０は第三歯車１００を回転駆動させて、協力ベルト１０３によって連結回転輪８８を回転連動させ、更に噛合歯車８６が回転し、ロックベルト８４によってロック歯車８１を回転させ、ロックスライダ８０が後に移動してロック溝７８とロック状態から離脱し、続いて、駆動モータ７０が作動して駆動プーリ７３を回転させ、連結ベルト７２によってボックス蓋２９を回転連動させ、放置チャンバ１１を開け、ボックス蓋２９は押圧ロッド９４を推進して後ろに移動させ、連結ロッド１１１は、変換ブロック９９を押し動かして下降させ、変換スプライン軸１０５と変換プーリ１０６のとをスプラインによって連結し、次に、変換モータ１１０が起動し、伝動ベルト１０７によって動力歯車４５を回転駆動させ、動力歯車４５が時針回りで回転する時、動力スライドロッド３９が左に移動することで伝動ラック２６は後ろに移動して縦ロッド１９をロック状態から離脱させ、これにより縦ロッド１９を自由に移動でき、動力歯車４５が反時針回りで回転する時、動力スライドロッド３９が右に移動し、連動ベルト３３によって伝動ラック２６を右に移動させて横ロッド１２をロック状態から離脱させ、これにより横ロッド１２を自由に移動でき、サンプルを放置チャンバ１１の中に置き、サンプルを放置チャンバ１１の中に安定にすることができ、サンプルの外形が大きい又は比較的に小さい場合、縦ロック１９の移動量を増加または減少する必要があり、液圧シリンダー７４が起動し、押しロッド７５によって駆動ブロック６９を押し動かして左に移動させ、これにより駆動歯車６８と伝動歯車６６がかみ合って連結され、駆動モータ７０が起動して伝動歯車６６を回転駆動させ、ネジ軸７６の作用によって伝動スライドロッド６２が左に移動して引掛スライドロッド５２を引き動かして前に移動させ、閉鎖スライド板４８をロック状態から離脱させ、且つ伝動スプライン軸６４と第二歯車５９とがスプラインによって連結され、伝動スプライン軸６４が回転して閉鎖歯車５５を回転させ、それによって、閉鎖スライド板４８が右に移動して閉鎖スライド溝４７を開け、縦ロッド１９の増加や減少を行い、これによりサンプルを安定的に放置チャンバ１１の中に置き、次に、液圧シリンダー７４が起動して押しロッド７５によって駆動ブロック６９を引き動かして右に移動させて初期位置に復帰させ、駆動モータ７０が起動して駆動プーリ７３を回転駆動させ、連結ベルト７２によってボックス蓋２９を回転連動させて放置チャンバ１１を閉鎖し、押圧ロッド９４は第三復帰部品９５の作用によって初期位置に復帰し、変換歯車９８と第三歯車１００がかみ合って連結され、変換モータ１１０が逆回転し、協力ベルト１０３によって連結回転輪８８を回転させ、噛合歯車８６が逆回転し、ロックベルト８４によってロック歯車８１を回転させ、これによりロックスライダ８０が前に移動してロック溝７８の中に引っかかる。
【００１９】
本発明の有益効果は：縦ロッドと横ロッドの交錯滑りで、サンプルボックスは内部に置かれたサンプルの大きさと形状によってサンプルを安定させ、携帯や輸送中の揺れや揺れによるサンプルの損傷を低減することができ、また、異なるサンプルにより縦ロックの移動量を増加または減少することでサンプルの安定を保ち、装置の柔軟性と幅広い性を増加させることができる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。